(57)【要約】【課題】  窓枠の貫通孔どうしの高さ位置などがずれていても、それらの貫通孔に案内具を取り付けることができて、貫通孔からの雨水などの侵入を防止できる連窓の開閉操作用ワイヤの案内具を提供する。【解決手段】  複数の障子４を開閉操作するワイヤ９が方立７に配置した案内具１４を通って各障子４に配索される。案内具１４は、一対の案内管１６・１６と、案内管１６・１６の端部に一端部１７ａ・１８ａを固定した一対の蛇腹状筒体１７・１８と、案内管１６・１６の反対側の端部に嵌合していて方立７の貫通孔１５に嵌着するゴムブッシュ２０・２０とを有する。蛇腹状筒体１７・１８は、案内具１４を方立７に配置したときに互いに重なる。一方の蛇腹状筒体１７の大径部２１および小径部２３の内径の寸法は、他方の蛇腹状筒体１８の大径部２２および小径部２４の外径の寸法以上になっている。【選択図】  図１
2019218792.tif 000002
【特許請求の範囲】
【請求項１】
建物の外壁に並べて配置した複数の窓部（２）の窓枠（３）内に、それぞれ障子（４）を前記建物の内外方向に揺動可能な状態で支持していて、それらの障子（４）をワイヤ（９）を使って開閉操作するようになっており、
前記ワイヤ（９）は、隣り合う前記窓部（２）の間に位置する窓枠（３）の部分（７）に貫通状に配置した案内具（１４）を通って各障子（４）に配索しており、
前記案内具（１４）を配置した前記窓枠（３）の部分（７）は中空状になっており、
前記案内具（１４）は、一対の円筒形状の案内管（１６）・（１６）と、その各案内管（１６）・（１６）の端部に一端部（１７ａ）・（１８ａ）をそれぞれ固定した一対の蛇腹状筒体（１７）・（１８）と、前記各案内管（１６）・（１６）において前記蛇腹状筒体（１７）・（１８）を配置した端部とは反対側の端部にそれぞれ嵌合するゴムブッシュ（２０）・（２０）とを有しており、
前記各案内管（１６）・（１６）は、撓み難い材質からなり、前記両案内管（１６）・（１６）の軸方向の長さを加算した寸法は、前記案内具（１４）を配置した窓枠（３）の部分（７）の幅寸法よりも小さくしており、
前記蛇腹状筒体（１７）・（１８）は、それぞれ大径部（２１）・（２２）と、その大径部（２１）・（２２）よりも径の小さい小径部（２３）・（２４）とが交互に連続形成されていて、前記蛇腹状筒体（１７）・（１８）の径方向への撓みを可能にしており、
前記一方の蛇腹状筒体（１７）の大径部（２１）の内径の寸法が前記他方の蛇腹状筒体（１８）の大径部（２２）の外径の寸法以上になっているとともに、前記一方の蛇腹状筒体（１７）の小径部（２３）の内径の寸法が前記他方の蛇腹状筒体（１８）の小径部（２４）の外径の寸法以上になっていて、前記ゴムブッシュ（２０）・（２０）を前記窓枠（３）の部分（７）の貫通孔（１５）・（１５）にそれぞれ嵌着させて前記案内具（１４）を前記窓枠（３）の部分（７）に配置したときには、前記一方の蛇腹状筒体（１７）の大径部（２１）および／または小径部（２３）の少なくとも一部が前記他方の蛇腹状筒体（１８）の大径部（２２）および／または小径部（２４）に密着状に外嵌することを特徴とする連窓の開閉操作用ワイヤの案内具。
【請求項２】
前記一方の蛇腹状筒体（１７）の他端部（１７ｂ）は先端側ほど広がるラッパ状の形状になっているとともに、前記他方の蛇腹状筒体（１８）の他端部（１８ｂ）は先細りの形状になっていることを特徴とする請求項１記載の連窓の開閉操作用ワイヤの案内具。
【請求項３】
前記蛇腹状筒体（１７）・（１８）は、大径部（２１）・（２２）と小径部（２３）・（２４）からなる連続体の少なくとも一山分が重なることを特徴とする請求項１または２記載の連窓の開閉操作用ワイヤの案内具。
【請求項４】
前記各案内管（１６）は、同一形状および同一寸法になっていることを特徴とする請求項１ないし３のいずれかに記載の連窓の開閉操作用ワイヤの案内具。
【発明の詳細な説明】
【技術分野】
【０００１】
本発明は、建物の壁などに２以上の外倒し窓などを隣り合わせて配置し、それらの窓をワイヤを使って開閉操作する連窓に関し、特に前記ワイヤを隣り合う窓の間に位置する窓枠の部分に貫通させて、各窓に前記ワイヤを配索するための連窓の開閉操作用ワイヤの案内具に関するものである。
【背景技術】
【０００２】
例えば、前記ワイヤを隣り合う窓の間に位置する窓枠の部分（以下、方立という。）に貫通させる連窓としては、特許文献１に示すように、中空状の方立の両側壁に貫通孔をそれぞれ形成し、それらの貫通孔に案内管を通し、その案内管の両端をゴムブッシュを介して各貫通孔に取り付けたのち、その案内管に前記ワイヤを通すことになる。そして、その案内管によって貫通孔から方立内に雨水などが侵入することを防いでいる。
【先行技術文献】
【特許文献】
【０００３】
【特許文献１】実開昭６１−６２１８７号公報
【発明の概要】
【発明が解決しようとする課題】
【０００４】
前記貫通孔どうしの高さ位置および水平方向の位置が一致していることが案内管を取り付けるうえから好ましい。ところが、前記窓枠の加工誤差や各窓枠を建物の外壁へ取り付ける際の組み立て誤差などによって、貫通孔どうしの高さ位置や水平方向の位置がずれてしまい、それによって各貫通孔に案内管を通し難くなるといった問題があった。
【０００５】
本発明は、かかる不都合を解決することを目的として提供されたものであり、隣り合う窓部の間に位置する窓枠の側壁にそれぞれ形成した貫通孔どうしの高さ位置や水平方向の位置がずれていても、それらの貫通孔に案内具を確実に取り付けることができて、貫通孔から窓枠内へ雨水などが侵入することを防ぐといった、いわゆる水密性能を保持できる連窓の開閉操作用ワイヤの案内具を提供することにある。
【課題を解決するための手段】
【０００６】
本発明は、かかる不都合を解決するために、建物の外壁に並べて配置した複数の窓部２の窓枠３内に、それぞれ障子４を建物の内外方向に揺動可能な状態で支持していて、それらの障子４をワイヤ９を使って開閉操作するようになっており、ワイヤ９は、隣り合う窓部２の間に位置する窓枠３の部分７に貫通状に配置した案内具１４を通って各障子４に配索しており、案内具１４を配置した窓枠３の部分７は中空状になっており、案内具１４は、一対の円筒形状の案内管１６・１６と、各案内管１６・１６の端部に一端部１７ａ・１８ａをそれぞれ固定した一対の蛇腹状筒体１７・１８と、各案内管１６・１６において蛇腹状筒体１７・１８を配置した端部とは反対側の端部にそれぞれ嵌合するゴムブッシュ２０・２０とを有しており、各案内管１６・１６は、撓み難い材質からなり、両案内管１６・１６の軸方向の長さを加算した寸法は、案内具１４を配置した窓枠３の部分７の幅寸法よりも小さくしており、蛇腹状筒体１７・１８は、それぞれ大径部２１・２２と、大径部２１・２２よりも径の小さい小径部２３・２４とが交互に連続形成されていて、蛇腹状筒体１７・１８の径方向への撓みを可能にしており、一方の蛇腹状筒体１７の大径部２１の内径の寸法が他方の蛇腹状筒体１８の大径部２２の外径の寸法以上になっているとともに、一方の蛇腹状筒体１７の小径部２３の内径の寸法が他方の蛇腹状筒体１８の小径部２４の外径の寸法以上になっていて、ゴムブッシュ２０・２０を窓枠３の部分７の貫通孔１５・１５にそれぞれ嵌着させて案内具１４を窓枠３の部分７に配置したときには、一方の蛇腹状筒体１７の大径部２１および／または小径部２３の少なくとも一部が他方の蛇腹状筒体１８の大径部２２および／または小径部２４に密着状に外嵌することを特徴とするものである。ここでは、窓部２が横方向に並ぶ場合と上下方向に並ぶ場合とが含まれ、横方向に並ぶ窓部２と上下方向に並ぶ窓部２とを混成して形成する場合も含まれる。
【０００７】
一方の蛇腹状筒体１７の他端部１７ｂは先端側ほど広がるラッパ状の形状になっているとともに、他方の蛇腹状筒体１８の他端部１８ｂは先細りの形状になっている。一方の蛇腹状筒体１７の他端部１７ｂの先端は、径を大きくし過ぎると当該一方の蛇腹状筒体１７の他端部１７ｂが窓枠３の部分７の貫通孔１５を通り難くなるために、貫通孔１５を考慮して一方の蛇腹状筒体１７の他端部１７ｂの大きさなどを設定することになる。また、他方の蛇腹状筒体１８の他端部１８ｂの先端は、細くし過ぎると当該他方の蛇腹状筒体１８の他端部１８ｂの内面にワイヤ９が接触し易くなるために、それを考慮して他方の蛇腹状筒体１８の他端部１８ｂの径などを設定することになる。
【０００８】
蛇腹状筒体１７・１８は、大径部２１・２２と小径部２３・２４からなる連続体の少なくとも一山分が重なるようにしている。
【０００９】
また、各案内管１６は、同一形状および同一寸法になるようにしている。
【発明の効果】
【００１０】
本発明の連窓の開閉操作用ワイヤの案内具は、その案内具１４を窓枠３に配置したときには、一方の蛇腹状筒体１７の大径部２１および／または小径部２３が他方の蛇腹状筒体１８の大径部２２および／または小径部２４の少なくとも一部に密着状に外嵌するので、窓枠３の部分７に配置した案内具１４の案内管１６・１６内に入り込んだ雨水などが前記窓枠３内に侵入することを蛇腹状筒体１７・１８によって抑えることができる。また、ゴムブッシュ２０・２０によって案内管１６の外周面と窓枠３の部分７の側壁の貫通孔１５との間から前記窓枠３内に雨水などが侵入することを抑えることができる。
【００１１】
そのうえで、窓枠３の加工誤差や各窓枠３を建物の外壁へ取り付ける際の組み立て誤差などによって、窓枠３の部分７の両側壁に設けた貫通孔１５・１５どうしの高さ位置や水平方向の位置がずれていても、蛇腹状筒体１７・１８を撓ませながら他方の蛇腹状筒体１８を一方の蛇腹状筒体１７内に差し込むことで、一方の蛇腹状筒体１７を他方の蛇腹状筒体１８に密着状に外嵌することができる。それによって、窓枠３の部分７の貫通孔１５・１５どうしの高さ位置や水平方向の位置がずれていても、案内管１６・１６内に入り込んだ雨水などが前記窓枠３内に侵入することを確実に抑えることができる。つまり、案内具１４によって水密性能を確実に保持することができる。
【００１２】
一方の蛇腹状筒体１７の他端部１７ｂがラッパ状の形状になっているとともに、他方の蛇腹状筒体１８の他端部１８ｂが先細りの形状になっていると、一方の蛇腹状筒体１７を他方の蛇腹状筒体１８に容易に外嵌することができる。つまり、例えば、窓枠３の部分７の両側壁の貫通孔１５・１５どうしの高さ位置や水平方向の位置がずれていることで、他方の蛇腹状筒体１８の先端が一方の蛇腹状筒体１７の軸からずれていても、他方の蛇腹状筒体１８の他端部１８ｂが一方の蛇腹状筒体１７の他端部１７ｂの内面によって一方の蛇腹状筒体１７の軸側へ案内される。しかも、他方の蛇腹状筒体１８の他端部１８ｂが先細りの形状になっていることで、他方の蛇腹状筒体１８の他端部１８ｂが一方の蛇腹状筒体１７の他端部１７ｂ内に導かれ易くなる。それにより、他方の蛇腹状筒体１８が一方の蛇腹状筒体１７内に容易に入り込むことができて、水密性能を確実に保持できる。
【００１３】
蛇腹状筒体１７・１８が、大径部２１・２２と小径部２３・２４からなる連続体の少なくとも一山分が重なるようにすると、雨水などが蛇腹状筒体１７・１８の隙間から前記窓枠３の部分７の内部に侵入することをしっかりと抑えることができる。
【００１４】
各案内管１６を同一形状および同一寸法にすると、一種類の案内管１６を作成するだけでよいことになるので、案内管１６の製造や管理の手間を軽減できる。
【図面の簡単な説明】
【００１５】
【図１】本発明に係る連窓の開閉操作用ワイヤの案内具の縦断面図である。
【図２】本発明に係る連窓の開閉操作用ワイヤの案内具を適用する外倒し窓の連窓の全体斜視図である。
【図３】本発明に係る外倒し窓の横断面図である。
【図４】本発明に係る外倒し窓を全閉にした状態での縦断面図である。
【図５】本発明に係る案内具の蛇腹状筒体を説明するための断面図である。
【図６】本発明に係る案内具を方立に配置する手順の一例を説明するための断面図である。
【図７】本発明に係る案内具を方立に配置する手順の一例を説明するための断面図である。
【図８】本発明に係る案内具を方立に配置する手順の一例を説明するための断面図である。
【発明を実施するための形態】
【００１６】
本発明に係る案内具を外倒し窓の連窓に適用した一実施例を図面に基づいて説明する。前記外倒し窓は、図２に示すように、窓部２を左右方向に並べた２連１組の連窓として構成しており、オフィスビルディングなどの建物の外壁に形成した開口に取り付けるようになっている。
【００１７】
各窓部２は、建物の外壁に配置してあって方形状に枠組みした窓枠３（方立７を含む）内に障子４をそれぞれ装着しており、各障子４は、その框５の下部側を軸に建物の内外方向に揺動可能になっている。各框５の内方には板ガラス６をそれぞれ装着している。
【００１８】
各窓部２には、障子４の框５や窓枠３の縁に沿って合成ゴムなどからなる止水部材（図示せず）を設けてあり、障子４が全閉姿勢になったときに前記止水部材によって框５と窓枠３（方立７を含む）との間が塞がれるようにしている。建物内部側には、各障子４をワイヤ９を使って開閉操作するためのハンドルボックス８を配置している。つまり、ハンドルボックス８には、ワイヤ９が巻き取られていて、ハンドルボックス８での操作に応じてワイヤ９がハンドルボックス８から繰り出される。また、ハンドルボックス８での操作に応じてワイヤ９がハンドルボックス８に巻き取られる。
【００１９】
前記ハンドルボックス８から繰り出されたワイヤ９は、図２ないし図４に示すように、一方の窓部２（図２では右側）での窓枠３の上枠３ａの下面に設けた左右一対の枠滑車１１・１１および障子４の框５の上框５ａの上面に設けた左右一対の障子滑車１２・１２を介して、左右に隣り合う窓部２・２の間に位置する窓枠３の部分である方立７に配置した案内具１４に導かれている。そのワイヤ９は、案内具１４を通って他方の窓部２（図２では左側）での窓枠３の上枠３ａの下面に設けた左右一対の枠滑車１１・１１および障子４の框５の上框５ａの上面に設けた左右一対の障子滑車１２・１２を介してワイヤ留め具（図示せず）に接続されている。つまり、ワイヤ９が各障子４に配索されている。
【００２０】
前記方立７は、図１および図４に示すように、中空状になっていて、その方立７の左右の側壁７ａ・７ａの適所には、前記案内具１４を配置するための貫通孔１５・１５をそれぞれ形成している。案内具１４は、図１および図５に示すように、左右一対の円筒形状の案内管１６・１６と、その案内管１６・１６の方立７の内方側となる端部に一端部１７ａ・１８ａをそれぞれ固定した左右一対の蛇腹状筒体１７・１８と、各案内管１６・１６において蛇腹状筒体１７・１８を配置した端部とは反対側の端部にそれぞれ嵌合するゴムブッシュ２０・２０とを有している。
【００２１】
各案内管１６は、アルミニウムなどの金属や硬質のポリ塩化ビニル樹脂などの合成樹脂などの撓み難い材質で形成している。左右の案内管１６・１６は、同一形状および同一寸法になっている。両案内管１６・１６の軸方向の長さを加算した寸法は、方立７の側壁７ａ・７ａの幅寸法よりも若干小さくしている。ゴムブッシュ２０・２０は、方立７の側壁７ａ・７ａの貫通孔１５・１５にそれぞれ嵌着するようになっている。
【００２２】
そのゴムブッシュ２０・２０を案内管１６・１６の方立７の外方側の端部にそれぞれ嵌合させて、方立７の側壁７ａ・７ａの貫通孔１５・１５にそれぞれ嵌着させたときには（図１の状態）、案内管１６・１６の方立７の内方側の端部間に若干の間隔（例えば２０ｍｍ）が生じるようになっている。その際、案内管１６・１６の方立７の外方側の端部は、ゴムブッシュ２０・２０より方立７の外方へほとんど突出しないようにしている（図１参照）。
【００２３】
前記蛇腹状筒体１７・１８は、方立７の外方側の一端部１７ａ・１８ａが円筒形状になっていて、その一端部１７ａ・１８ａが案内管１６・１６の方立７の内方側の端部にそれぞれ外嵌している。蛇腹状筒体１７・１８の一端部１７ａ・１８ａは、接着剤やビスなどによって案内管１６・１６の端部にそれぞれ固定されていて、案内管１６から容易に抜けないようにしている。なお、蛇腹状筒体１７・１８は、その一端部１７ａ・１８ａに案内管１６を圧入することで、当該案内管１６に固定されるように構成してもよい。
【００２４】
前記蛇腹状筒体１７・１８は、ポリエチレン樹脂やポリプロピレン樹脂などからなっており、図１および図５に示すように、それぞれ大径部２１・２２と、大径部２１・２２よりも径の小さい小径部２３・２４とが交互に連続形成されていて、ほとんど潰れることなく径方向へ撓むことができるようになっている。
【００２５】
蛇腹状筒体１７・１８は、案内具１４を方立７に配置したときには、図１に示すように、蛇腹状筒体１７・１８どうしが内外に重なるように軸方向の長さが設定されている。一方の蛇腹状筒体１７は、方立７の他方の側壁７ａの貫通孔１５の近くまで延びており（図６参照）、他方の蛇腹状筒体１８は、方立７の一方の側壁７ａの貫通孔１５の近くまで延びている（図１参照）。
【００２６】
一方の蛇腹状筒体１７（図５では右側）の大径部２１の内径の寸法は他方の蛇腹状筒体１８（図５では左側）の大径部２２の外径の寸法以上になっているとともに、一方の蛇腹状筒体１７の小径部２３の内径の寸法が他方の蛇腹状筒体１８の小径部２４の外径の寸法以上になっている（図５参照）。
【００２７】
そして、案内具１４を方立７に配置したときには、一方の蛇腹状筒体１７の大径部２１および／または小径部２３の少なくとも一部が他方の蛇腹状筒体１８の大径部２２および／または小径部２４に密着状に外嵌する（図１の状態）。
【００２８】
また、図５に示すように、一方の蛇腹状筒体１７の他端部１７ｂがラッパ状の形状になっているとともに、他方の蛇腹状筒体１８の他端部１８ｂが先細りの形状になっている。つまり、一方の蛇腹状筒体１７の他端部１７ｂの先端の面積が、他方の蛇腹状筒体１８の他端部１８ｂの先端の面積よりも大きくなっている。
【００２９】
次に、案内具１４を方立７に配置する方法の一実施例を図面を用いて説明する。まず、図６に示すように、一方の蛇腹状筒体１７を固定するとともにゴムブッシュ２０を嵌合してある一方の案内管１６を、方立７の一方の側壁７ａ（図６では右側）の貫通孔１５に差し込んで、ゴムブッシュ２０を方立７の貫通孔１５に嵌着する（図６の状態）。
【００３０】
続いて、図７に示すように、他方の蛇腹状筒体１８を固定するとともにゴムブッシュ２０を嵌合してある他方の案内管１６を方立７の他方の側壁７ａ（図７では左側）の貫通孔１５に差し込む。
【００３１】
その際、窓枠３の加工誤差や各窓枠３を建物の外壁へ取り付ける際の組み立て誤差などによって、方立７の両側壁７ａ・７ａの貫通孔１５・１５どうしの高さ位置や水平方向の位置がずれて、他方の蛇腹状筒体１８の他端部１８ｂの先端が一方の蛇腹状筒体１７の軸からずれていても、他方の蛇腹状筒体１８の他端部１８ｂが一方の蛇腹状筒体１７の他端部１７ｂの内面に案内されることで、他方の蛇腹状筒体１８が撓みながら一方の蛇腹状筒体１７内に入り込む（図７の状態）。しかも、他方の蛇腹状筒体１８の他端部１８ｂが先細りの形状になっていることで、他方の蛇腹状筒体１８の他端部１８ｂは一方の蛇腹状筒体１７の他端部１７ｂ内に容易に導かれる。
【００３２】
さらに他方の案内管１６を方立７内に向けて押すことで、他方の蛇腹状筒体１８の各大径部２２が弾性変形しながら一方の蛇腹状筒体１７の各小径部２３を順に乗り越えて、他方の蛇腹状筒体１８が一方の蛇腹状筒体１７内の奥まで入り込む（図８参照）。
【００３３】
その結果、一方の蛇腹状筒体１７が他方の蛇腹状筒体１８に密着状に接触し、一方の蛇腹状筒体１７と他方の蛇腹状筒体１８とによって案内管１６・１６内に入り込んだ雨水などが方立７の内部に侵入することが抑えられる。その案内具１４を方立７に配置した際には（図１参照）、ゴムブッシュ２０・２０が方立７の側壁７ａ・７ａの貫通孔１５・１５にそれぞれ嵌着しており、案内管１６・１６の外周面と貫通孔１５・１５との間から雨水などが方立７の内部に侵入することが抑えられる。
【００３４】
そして、案内具１４を方立７に配置したのちに、案内具１４にワイヤ９を通すことになる（図１の状態）。蛇腹状筒体１７・１８は、少なくとも大径部２１・２２と小径部２３・２４からなる連続体の少なくとも一山分が重なるようにしている。
【００３５】
このように、方立７の側壁７ａ・７ａの貫通孔１５・１５に本発明の案内具１４を配置することで、雨水などが方立７（窓枠３）内に侵入することが抑えられる。そのうえで、窓枠３の加工誤差や各窓枠３を建物の外壁へ取り付ける際の組み立て誤差などによって、方立７の両側壁７ａ・７ａに設けた貫通孔１５・１５どうしの高さ位置や水平方向の位置がずれていても、蛇腹状筒体１７・１８が撓むことで、一方の蛇腹状筒体１７を他方の蛇腹状筒体１８に確実に外嵌することができる（水密性能の保持）。
【００３６】
なお、３連以上の窓であっても、それらの窓枠３（方立７）に本発明の案内具１４を設けることで、雨水などが窓枠３（方立７）内に侵入することを抑えることができる。
【符号の説明】
【００３７】
２  窓部
３  窓枠
４  障子
７  方立
９  ワイヤ
１４  案内具
１５  貫通孔
１６  案内管
１７  一方の蛇腹状筒体
１７ａ  一方の蛇腹状筒体の一端部
１７ｂ  一方の蛇腹状筒体の他端部
１８  他方の蛇腹状筒体
１８ａ  他方の蛇腹状筒体の一端部
１８ｂ  他方の蛇腹状筒体の他端部
２０  ゴムブッシュ
２１  一方の蛇腹状筒体の大径部
２２  他方の蛇腹状筒体の大径部
２３  一方の蛇腹状筒体の小径部
２４  他方の蛇腹状筒体の小径部
【図１】
2019218792.tif 000003
【図２】
2019218792.tif 000004
【図３】
2019218792.tif 000005
【図４】
2019218792.tif 000006
【図５】
2019218792.tif 000007
【図６】
2019218792.tif 000008
【図７】
2019218792.tif 000009
【図８】
2019218792.tif 000010